(57)【特許請求の範囲】
【請求項１】
プロセッサとメモリとを含む装置を用いる方法であって、
該方法は、
該プロセッサが、該装置から該装置の外部のデバイスに転送するために、該メモリに格納された１つ以上のファイルを識別することと、
該プロセッサが、メタデータファイルを獲得することであって、該メタデータファイルは、該１つ以上のファイルに関する情報を有する、ことと、
該プロセッサが、該１つ以上のファイルを識別した後、かつ、該メタデータファイルを獲得した後に、該装置から該デバイスに該メタデータファイルを転送している間に、該装置の出力バッファを用いて、該メタデータファイルの中にデータを注入することにより、該装置において、該メタデータファイルにおけるメタデータを修正することであって、該データは、該メタデータファイルに対する追加的なデータである、ことと
を含む、方法。
【請求項２】
前記１つ以上の識別されたファイルは、１つ以上のメディアファイルを含み、
該１つ以上の識別されたファイルに関する情報を有するメタデータファイルを獲得することは、該１つ以上のメディアファイルに関する情報を有するメタデータファイルを獲得することを含む、請求項１の記載の方法。
【請求項３】
前記１つ以上のメディアファイルは、音楽メディアファイルを含み、
メタデータを修正することは、該音楽メディアファイルに関連付けられたアルバムアートを注入することを含む、請求項２に記載の方法。
【請求項４】
前記１つ以上のメディアファイルは、１つ以上の音楽メディアファイルを含み、
メタデータを修正することは、該１つ以上の音楽メディアファイルに関連付けられたポリシーパラメータおよび／またはユーザによって定義された設定を注入することを含み、該ユーザによって定義された設定は、該１つ以上の音楽メディアファイルの再生の間に前記デバイスによって用いられる、請求項２に記載の方法。
【請求項５】
メタデータを修正することは、前記転送の供給源を示すアーティファクトを注入することを含む、請求項２に記載の方法。
【請求項６】
前記１つ以上のメディアファイルは、１つ以上のビデオメディアファイルを含み、
メタデータを修正することは、該１つ以上のビデオメディアファイルに関連付けられた閲覧制限を注入することを含む、請求項２に記載の方法。
【請求項７】
前記方法は、前記１つ以上のメディアファイルとともにメタデータファイルを転送することを含む、請求項２に記載の方法。
【請求項８】
命令を格納する機械読み取り可能媒体であって、該命令は、機械によって実行されると、該機械に請求項１〜請求項７のいずれか１項に記載の方法を包含する動作を実行させる、機械読み取り可能媒体。
【請求項９】
プロセッサと、
メモリと、
命令を格納する機械読み取り可能媒体と
を含む装置であって、
該機械読み取り可能媒体は、該プロセッサに動作可能に結合されており、
該命令が、該プロセッサによって実行されると、
該装置から該装置の外部のデバイスに転送するために、該メモリに格納された１つ以上のファイルを識別することと、
メタデータファイルを獲得することであって、該メタデータファイルは、該１つ以上のファイルに関する情報を有する、ことと、
該１つ以上のファイルを識別した後、かつ、該メタデータファイルを獲得した後に、該装置から該デバイスに該メタデータファイルを転送している間に、該装置の出力バッファを用いて、該メタデータファイルの中にデータを注入することにより、該装置において、該メタデータファイルにおけるメタデータを修正することであって、該データは、該メタデータファイルに対する追加的なデータである、ことと
を該プロセッサに実行させる、装置。
【請求項１０】
前記装置は、請求項２〜請求項７のうちのいずれか１項に記載の方法を実行するように構成されている、請求項９に記載の装置。
【請求項１１】
前記装置は、モバイルワイヤレスデバイスとして構成されている、請求項９に記載の装置。
【請求項１２】
前記装置は、据え置き型のパーソナルコンピュータである、請求項９に記載の装置。
【請求項１３】
前記装置は、ワイヤレスサーバとして動作する手段を含む構成を有する据え置き型のパーソナルコンピュータである、請求項９に記載の装置。
【請求項１４】
前記メタデータを修正することは、
前記装置の格納媒体から該装置における第１バッファにメタデータファイルを出力することと、
該装置におけるエクストラクタを用いて該第１バッファにおけるメタデータファイルのメタデータを読み取り、該装置の出力バッファの中にメタデータを書き込むことであって、該出力バッファから、該メタデータファイルが該装置から前記デバイスに転送される、ことと、
前記エクストラクタを用いて該メタデータファイルを該出力バッファの中に注入することと
を含む、請求項１に記載の方法。
【請求項１５】
前記メタデータファイルを出力することは、メディアファイルおよびそれに関連付けられたメタデータを前記デバイスに転送するためのルールに対応するファイルフォーマットに従って、前記格納媒体から前記第１バッファにメタデータファイルを出力することを含み、
前記メタデータを読み取ることは、該デバイス上のアプリケーションが、該デバイスへの転送の後に、該メタデータファイルのメタデータを読み取るように構成される態様で、該メタデータを読み取ることを含む、請求項１４に記載の方法。
【請求項１６】
前記データを注入することは、前記メタデータが前記第１バッファに出力される前記格納媒体とは異なる供給源からデータを注入することを含む、請求項１５に記載の方法。
【請求項１７】
前記装置は、格納媒体、第１バッファ、出力バッファ、エクストラクタを含み、
該装置は、
該格納媒体から該第１バッファにメタデータファイルのメタデータを出力することと、
該エクストラクタを用いて該第１バッファにおけるメタデータを読み取り、該出力バッファの中にメタデータを書き込むことであって、該出力バッファから、該メタデータファイルが該装置から前記デバイスに転送される、ことと、
該出力バッファを用いて該メタデータファイルの中にデータを注入することと
を行うように構成されている、請求項９に記載の装置。
【請求項１８】
前記装置は、
メディアファイルおよびそれに関連付けられたメタデータを前記デバイスに転送するためのルールに対応するファイルフォーマットに従って、前記格納媒体から前記第１バッファにメタデータを出力することと、
該デバイス上のアプリケーションが、該デバイスへの転送の後に、前記メタデータファイルを読み取るように構成される態様で、該メタデータを読み取ることと
を行うように構成されている、請求項１７に記載の装置。
【発明の詳細な説明】
【技術分野】
【０００１】
（関連出願）
本願は、２００８年５月１４日に出願された米国仮特許出願第６１／１２７，７９６号と、２００８年５月１４日に出願された米国仮特許出願第６１／１２７，８１３号と、２００８年５月１２日に出願された米国仮特許出願第６１／０５２，６４０号と、２００８年５月１２日に出願された米国仮特許出願第６１／０５２，６３３号とに対して米国特許法第１１９条（ｅ）の下に優先権を主張し、これらの仮特許出願は、本明細書においてそれら全体が参考により援用される。
【背景技術】
【０００２】
（背景）
情報へのアクセスは、現代社会において、個人のアクティビティにおける重要な因子である。情報の流れの改善は、他者と相互作用する個人の能力、変化の必要性に応答する個人の能力、および様々なメディアベースの情報を処理することに由来する楽しみを利用する個人の能力を高める。
【発明の概要】
【課題を解決するための手段】
【０００３】
例えば、本発明は以下の項目を提供する。
（項目１）
デバイスへの転送のために識別された１つ以上のファイルに関する情報を有するメタデータファイルを獲得することと、
該メタデータファイルの該デバイスへの転送の間に、該メタデータファイル内のメタデータを修正することと
を包含する、方法。
（項目２）
デバイスへの転送のために識別された１つ以上のファイルに関する情報を有するメタデータファイルを獲得することは、デバイスへの転送のために識別された１つ以上のメディアファイルに関する情報を有するメタデータファイルを獲得することを含む、項目１に記載の方法。
（項目３）
メタデータを修正することは、音楽メディアファイルに関連付けられたアルバムアートを注入することを含む、項目２に記載の方法。
（項目４）
メタデータを修正することは、１つ以上の音楽メディアファイルに関連付けられたポリシーパラメータおよび／またはユーザ設定を注入することを含む、項目２に記載の方法。
（項目５）
メタデータを修正することは、上記転送の供給源を示すアーティファクトを注入することを含む、項目２に記載の方法。
（項目６）
メタデータを修正することは、ビデオメディアファイルに関連付けられた閲覧制限を注入することを含む、項目２に記載の方法。
（項目７）
上記方法は、上記デバイスへの転送のために識別された上記メディアファイルと共通の転送プロセスにおいて上記メタデータファイルを転送することを含む、項目２に記載の方法。
（項目８）
命令を格納する機械読み取り可能媒体であって、該命令は、機械によって実行されたとき、該機械に項目１〜項目７のいずれか１項に記載の方法を包含する動作を実行させる、機械読み取り可能媒体。
（項目９）
装置であって、
プロセッサと、
命令を格納する機械読み取り可能媒体と
を備え、該機械読み取り可能媒体は、該命令が、該プロセッサによって実行されたとき、該装置に動作を実行させるように該プロセッサに動作可能に結合され、該動作は、
デバイスへの転送のために識別された１つ以上のファイルに関する情報を有するメタデータファイルを獲得することと、
該メタデータファイルの該デバイスへの転送の間に、該メタデータファイルに含まれるメタデータを修正することと
を包含する、装置。
（項目１０）
上記装置は、項目２〜項目７のうちのいずれか１項に記載の方法を実行するように構成される、項目９に記載の装置。
（項目１１）
上記装置は、モバイルワイヤレスデバイスとして構成される、項目９に記載の装置。
（項目１２）
上記装置は、据え置き型のパーソナルコンピュータである、項目９に記載の装置。
（項目１３）
上記装置は、ワイヤレスサーバとして動作する手段を含む構成を有する据え置き型のパーソナルコンピュータである、項目９に記載の装置。
【０００４】
また、本発明は以下の項目も提供する。
（項目１ａ）
デバイスへの転送のために識別された１つ以上のファイルに関する情報を有するメタデータファイルを獲得することと、
該メタデータファイルの該デバイスへの転送の間に、該メタデータファイル内のメタデータを修正することと
を包含する、方法。
（項目２ａ）
デバイスへの転送のために識別された１つ以上のファイルに関する情報を有するメタデータファイルを獲得することは、デバイスへの転送のために識別された１つ以上のメディアファイルに関する情報を有するメタデータファイルを獲得することを含む、項目１ａに記載の方法。
（項目３ａ）
メタデータを修正することは、音楽メディアファイルに関連付けられたアルバムアートを注入することを含む、項目２ａに記載の方法。
（項目４ａ）
メタデータを修正することは、１つ以上の音楽メディアファイルに関連付けられたポリシーパラメータおよび／またはユーザ設定を注入することを含む、項目２ａに記載の方法。
（項目５ａ）
メタデータを修正することは、上記転送の供給源を示すアーティファクトを注入することを含む、項目２ａに記載の方法。
（項目６ａ）
メタデータを修正することは、ビデオメディアファイルに関連付けられた閲覧制限を注入することを含む、項目２ａに記載の方法。
（項目７ａ）
上記方法は、上記デバイスへの転送のために識別された上記メディアファイルと共通の転送プロセスにおいて上記メタデータファイルを転送することを含む、項目２ａに記載の方法。
（項目８ａ）
命令を格納する機械読み取り可能媒体であって、該命令は、機械によって実行されたとき、該機械に動作を実行させ、該動作は、
デバイスへの転送のために識別された１つ以上のファイルに関する情報を有するメタデータファイルを獲得することと、
該メタデータファイルの該デバイスへの転送の間に、該メタデータファイル内のメタデータを修正することと
を包含する、機械読み取り可能媒体。
（項目９ａ）
デバイスへの転送のために識別された１つ以上のファイルに関する情報を有するメタデータファイルを獲得することは、デバイスへの転送のために識別された１つ以上のメディアファイルに関する情報を有するメタデータを獲得することを含む、項目８ａに記載の機械読み取り可能媒体。
（項目１０ａ）
メタデータを修正することは、音楽メディアファイルに関連付けられたアルバムアートを注入することを含む、項目９ａに記載の機械読み取り可能媒体。
（項目１１ａ）
メタデータを修正することは、１つ以上の音楽メディアファイルに関連付けられたポリシーパラメータおよび／またはユーザ設定を注入することを含む、項目９ａに記載の機械読み取り可能媒体。
（項目１２ａ）
メタデータを修正することは、上記転送の供給源を示すアーティファクトを注入することを含む、項目９ａに記載の機械読み取り可能媒体。
（項目１３ａ）
メタデータを修正することは、ビデオメディアファイルに関連付けられた閲覧制限を注入することを含む、項目９ａに記載の機械読み取り可能媒体。
（項目１４ａ）
上記命令は、上記デバイスへの転送のために識別された上記メディアファイルと共通の転送プロセスにおいて上記メタデータファイルを転送することを含む、項目９ａに記載の機械読み取り可能媒体。
（項目１５ａ）
装置であって、
プロセッサと、
命令を格納する機械読み取り可能媒体と
を備え、該機械読み取り可能媒体は、該命令が、該プロセッサによって実行されたとき、該装置に動作を実行させるように該プロセッサに動作可能に結合され、該動作は、
デバイスへの転送のために識別された１つ以上のファイルに関する情報を有するメタデータファイルを獲得することと、
該メタデータファイルの該デバイスへの転送の間に、該メタデータファイル内のメタデータを修正することと
を包含する、装置。
（項目１６ａ）
デバイスへの転送のために識別された１つ以上のファイルに関する情報を有するメタデータファイルを獲得することは、デバイスへの転送のために識別された１つ以上のメディアファイルに関する情報を有するメタデータファイルを獲得することを含む、項目１５ａに記載の装置。
（項目１７ａ）
メタデータを修正することは、音楽メディアファイルに関連付けられたアルバムアートを注入することを含む、項目１６ａに記載の装置。
（項目１８ａ）
メタデータを修正することは、１つ以上の音楽メディアファイルに関連付けられたポリシーパラメータおよび／またはユーザ設定を注入することを含む、項目１６ａに記載の装置。
（項目１９ａ）
メタデータを修正することは、上記転送の供給源を示すアーティファクトを注入することを含む、項目１６ａに記載の装置。
（項目２０ａ）
メタデータを修正することは、ビデオメディアファイルに関連付けられた閲覧制限を注入することを含む、項目１６ａに記載の装置。
（項目２１ａ）
上記命令は、上記デバイスへの転送のために識別された上記メディアファイルと共通の転送プロセスにおいて上記メタデータファイルを転送することを含む、項目１６ａに記載の装置。
（項目２２ａ）
上記装置は、モバイルワイヤレスデバイスとして構成される、項目１６ａに記載の装置。
（項目２３ａ）
上記装置は、据え置き型のパーソナルコンピュータである、項目１６ａに記載の装置。
（項目２４ａ）
上記装置は、ワイヤレスサーバとして動作する手段を含む構成を有する据え置き型のパーソナルコンピュータである、項目１６ａに記載の装置。
【０００５】
本発明の実施形態は、例示としてのみ示され、添付の図面の図に対する制限として示されていない。
【図面の簡単な説明】
【０００６】
【図１】図１は、様々な実施形態に従う、メディアコンテンツを管理するシステムの機能ブロック図である。
【図２】図２は、様々な実施形態に従う、システムのメディア同期エンジンとモバイルワイヤレス通信デバイスとの間のメディアコンテンツの転送のためのアーキテクチャのブロック図を示す。
【図３】図３は、様々な実施形態に従う、図１に示される処理モジュールの機能性と類似する機能性を提供する処理モジュールのブロック図を示す。
【図４】図４は、ファイルが１つの装置から別の装置に転送される場合にメタデータを注入することを含む方法の機能を示す。
【図５】図５は、様々な実施形態に従う、転送のためにメタデータファイルを修正するストリームビルダの例を描く。
【図６】図６は、様々な実施形態に従う、関連付けられたワイヤレスサーバのインストールによるＰＣへのインストールされたメディアワイヤレス同期機能の実施形態を描く。
【図７】図７は、様々な実施形態に従う、接続性を示すユーザインターフェースの非限定的な例の実施形態を描く。
【図８】図８は、様々な実施形態に従う、ホーム音楽ライブラリにアクセスしたときのユーザインターフェースの例の実施形態を描く。
【図９】図９は、様々な実施形態に従う、メディアライブラリを見る例の実施形態を示す。
【図１０】図１０は、様々な実施形態に従う、ダウンロードマネージャに音楽を追加することに関するユーザインターフェースの例の実施形態を示す。
【図１１】図１１は、様々な実施形態に従う、ダウンロードマネージャを見るためのユーザインターフェースの例の実施形態を示す。
【図１２】図１２は、様々な実施形態に従う、コントローラとメモリシステムとを有するシステムの実施形態の図を描く。
【発明を実施するための形態】
【０００７】
（詳細な説明）
以下の詳細な説明は、本発明が実施され得る例、詳細および実施形態として示す添付の図面を参照する。これらの実施形態は、当業者が本発明の実施形態を実施することが可能なように十分に詳細に説明される。他の実施形態が利用され得、構造的変更、論理的変更および電気的変更が、本発明の主題から逸脱することなしになされ得る。本明細書において開示される様々な実施形態は、一部の実施形態が１つ以上の他の実施形態と組み合わされて新たな実施形態を形成し得るので、必ずしも相互に排他的である必要はない。それゆえ、以下の詳細な説明は限定する意味で捉えられるべきではない。
【０００８】
様々な実施形態において、メディアコンテンツはシステム内で管理され、ここでメディアコンテンツは、情報供給源からの情報を含み得、該情報供給源はシステムユーザの個人の直接的な制御下にはない。これらの情報源からの情報は、情報の流れのアーティファクトを追加し得る。これらのアーティファクトは、これらの特性の知識と共に使用され得、システムユーザに、１つの供給源からのメディアであるかのようにこれらのメディアの全てを扱うか、または少なくともメディアの供給源および該供給源の相互作用を発見する権限を与える。メディアコンテンツを管理するためのシステムおよび方法が構成され、その結果、その管理は限定されたユーザ相互作用によって行われ得、様々な実施形態においては、システムが本質的に自律的に実行し得る。メディアは、一般的な通信、情報またはエンターテインメントの形態であり、これらは典型的に多くの聴衆により用いられることを意図されるが、多くの聴衆に限定することを意図していない。様々なメディアは、音楽、映画、音楽ビデオ、テレビショー、インタラクティブアプリケーション、オーディオブック、ポッドキャスト、ゲーム、個人的なプレゼンテーションおよびその他のプレゼンテーションを含み得るが、これらに限定されない。メディアの各形式は、メディアコンテンツまたはメディアアートと称され得る。このようなメディアの個々の項目は、メディアコンテンツまたはメディアアートと称され得る。メディアコンテンツは、任意のメディアフォーマットのコンテンツを含み得る。一部のコンテンツの例は、オーディオファイル、ビデオファイル、画像ファイルおよびマルチメディアファイルを含み得るが、これらに限定されない。オーディオファイルフォーマットは、ＭＰ３、ＡＩＦＦ、ＷＡＶ、ＭＰＥＧ−４、ＡＡＣおよびＡｐｐｌｅ  Ｌｏｓｓｌｅｓｓを含み得るが、これらに限定されない。メディアコンテンツに対するその他の例示的なファイルフォーマットは、ｄｏｃ、ｄｏｔ、ｗｐｄ、ｔｘｔ、ｘｌｓ、ｐｄｆ、ｐｐｔ、ｊｐｇ、ｊｐｅｇ、ｐｎｇ、ｂｍｐ、ｇｉｆ、ｈｔｍｌ、ｈｔｍ、ｚｉｐ、ｔｉｆ、ｔｉｆｆおよびｗｍｆという拡張子を有するファイルを含み得るが、これらに限定されない。メディアファイルが、装置上で格納されるか、処理されるメディアアートの項目に関連付けられ、これらのメディアファイルは、関連付けられる再生デバイス（プレーヤ）によって動作される場合に、通信、情報、エンターテインメント、その他のプレゼンテーションまたはそれらの組み合わせとしてユーザに提示され得る出力を提供する。
【０００９】
メディアコンテンツを管理するシステムは、例えば、メディアコンテンツを管理する、ハードウェア、ソフトウェアならびに／またはハードウェアおよびソフトウェアを有する、コンピュータシステムまたはその他のシステムのような様々な装置を含み得る。様々な実施形態において、パーソナルコンピュータ（ＰＣ）は、メディアコンテンツおよび関連付けられるメディアファイルを管理するために用いられ得る。一般的に公知のパーソナルコンピュータは、本明細書においてオペレーティングシステム（ＯＳ）を有するコンピューティングデバイスをいい、パーソナルコンピュータの使用は、ＰＣを動作する基礎となるハードウェアおよびソフトウェアの基礎のわずかな知識を有するか、全く知識を持たない個人によって行われ得、その動作は、典型的にコンピュータを動作するためにコンピュータプログラムを認証する個人がいなくても動作され得る。ポータブルコンピュータは、ポータブルパーソナルコンピュータを含み得る。ポータブルＰＣの例は、ラップトップコンピュータまたはノートブックコンピュータであり、これらは典型的にディスプレイスクリーンと、キーボードと、基礎となるハードウェアおよびソフトウェアと、ディスプレイポインティングデバイスとを有し、これらは、個人により容易に保持され得るハウジングに全て組み込まれる。一部のパーソナルデジタルアシスタンツ（ＰＤＡ）は、一種のポータブルコンピュータとして見られ得る。様々な実施形態において、ＰＣは、メディアコンテンツを管理するための手段と、ワイヤレスサーバとして動作する手段とを含み得る。ワイヤレスサーバは、ワイヤレスネットワークによって確立されたチャネルを介して、エンティティと通信するサーバ構成である。
【００１０】
様々な手段は、ハードウェア実装と、ソフトウェア実装と、ハードウェア実装およびソフトウェア実装の組み合わせで実現され得る。この手段の一部は、機械のメモリ内のデータビット上の動作のアルゴリズムおよび記号表記に関して説明される。本明細書において、そして、概して、アルゴリズムは、所望の結果をもたらす、自己矛盾のない一連のステップであるものと考えられる。これらのステップは、物理的な量の物理的な操作を必要とするステップである。通常、必須ではないが、これらの量は、格納され、組み合わされ、比較され、または操作されることが可能な電気信号または磁気信号の形式をとる。この手段は、処理、算出、計算、決定、表示および／またはコンピュータシステムまたは類似の電子コンピューティングデバイスのような機械のプロセスに相関する他のアクティビティを動作し得、これらの機械は、コンピュータシステムのレジスタ内の物理的（電子的）量として表されるデータを、コンピュータシステム、メモリまたはレジスタあるいは他のそのような情報ストレージ、伝送、またはディスプレイデバイス内で物理的量として同様に表される他のデータに操作し、変形する。この手段は、パーソナライズされた能力を提供し、その他のコンテンツへの経路を提供し得、またはこれらを組み合わせて行い得る。この手段は、分散アプリケーションを用い得、様々な数および種類のソフトウェアベースのコンポーネントであって、アプリケーション間のデータ転送を可能にするために２つ以上のアプリケーションを結合するコンポーネントを用い得、多くの様々な供給源から情報を提供するためにハードウェアを用い得、例えば、サーバおよびコンテンツ管理システムのような種々のプラットフォーム上で実現され得る。この手段は、サブルーチンコード、コードライブラリ、そして、Ｊａｖａ（登録商標）  ＥＥＴＭ、Ｓｉｍｐｌｅ  ＤｉｒｅｃｔＭｅｄｉａ  ＬａｙｅｒＴＭ（ＳＤＬ）およびＤｉｒｅｃｔＸＴＭを利用するインタープリタなどのアプリケーションプログラムインターフェース、これらの組み合わせあるいはその他のこのような電子ベースの機能性を含んだり、またはこれらへのアクセスを有したりする。
【００１１】
様々な実施形態において、ＰＣは、１つ以上のモバイルデバイスとの関連性においてメディアコンテンツを管理する。各モバイルデバイスは、メディアファイルを再生し得、それぞれのモバイルデバイス上のメディアコンテンツの管理に対してＰＣと相互作用し得る。様々な実施形態において、モバイルデバイスは、モバイルデバイス上のメディアコンテンツを管理し、１つ以上のＰＣ内のメディアファイルをブラウズし得、モバイルデバイス上のメディアコンテンツ、ＰＣ上のメディアコンテンツ、およびメディアコンテンツが共有され得る他のモバイルデバイス上のメディアコンテンツの相互作用管理にＰＣを従事させるためのＰＣの手段に類似の手段を含む。メディアコンテンツを管理するために、ＰＣと同様の方法で機能するハードウェア、ソフトウェアならびに／またはハードウェアおよびソフトウェアを有して構成されるその他の装置がモバイルデバイスと関連して使用され得る。モバイルデバイスは、モバイルワイヤレスデバイスであり得る。モバイルワイヤレス通信デバイスは、モバイル電話、ポータブルコンピュータ、ＰＤＡ、およびユーザにより便利に保持されワイヤレス通信を提供し得るその他のデバイスを含み得るが、これらに限定はされない。モバイル電話は、セル電話と一般的に称されるワイヤレス通信デバイスを含む。モバイル電話は、音声通信を超える限定された機能性を有するポータブル電話からパーソナルコンピュータの機能性を提供することが可能なポータブル電話までの広範囲の通信デバイスを含み得る。
【００１２】
実施形態において、システムは、複数のメディア供給源からのメディアコンテンツに関連する情報を単一の統合されたライブラリファイルに編成する。情報は、インデックスをつけられた情報として編成され得る。メディアコンテンツを管理することは、単一のライブラリファイルに限定されない。様々な実施形態において、２つ以上のライブラリファイルが利用され得る。ライブラリファイルへのアクセスは、多くのモバイルデバイスに提供され得る。このアクセスは、フルのアクセスか、または限定されたアクセスであり得る。例えば、モバイルデバイスによるライブラリファイルへのアクセスは、モバイルデバイスがメディアコンテンツを動作する１つ以上のメディアプレーヤを有しているかどうかに基づいてモバイルデバイスに限定され得る。その他の判定基準が、モバイルデバイスへのアクセスを限定するために用いられ得る。様々な実施形態において、ライブラリファイルは、システム上で維持され、モバイルデバイスからリモートでアクセスされる。様々な実施形態において、ライブラリファイルまたは修正版のライブラリファイルが、モバイルデバイスに転送され得、モバイルデバイスは該ライブラリファイルにローカルにアクセスし得る。ライブラリファイルは、モバイルデバイスにより使用され得、メディアコンテンツを、１つ以上のメディア供給源からモバイルデバイスまで転送する。モバイルデバイスは、ワイヤレス能力を有し得る。モバイルデバイスはモバイルワイヤレス通信デバイスであり得る。
【００１３】
図１はメディアコンテンツを管理するためのシステム１００の機能図である。システム１００は、入力部１１２と、処理モジュール１１４と、出力部１１６とを含む。入力部１１２は、メディアコンテンツの１つ以上のメディア供給源１２０（本明細書においては、「複数のメディア供給源」、「メディア供給源」、「複数の供給源」または「供給源」とも称する）を含む。メディアコンテンツは、任意のメディアフォーマットでコンテンツを含み得る。コンテンツの一部の例は、オーディオファイル、ビデオファイル、画像ファイルおよびマルチメディアファイルを含み得るが、これらに限定されない。オーディオファイルフォーマットは、ＭＰ３、ＡＩＦＦ、ＷＡＶ、ＭＰＥＧ−４、ＡＡＣおよびＡｐｐｌｅ  Ｌｏｓｓｌｅｓｓを含み得るが、これらに限定されない。その他のメディアコンテンツに対する例示的なファイルフォーマットは、ｄｏｃ、ｄｏｔ、ｗｐｄ、ｔｘｔ、ｘｌｓ、ｐｄｆ、ｐｐｔ、ｊｐｇ、ｊｐｅｇ、ｐｎｇ、ｂｍｐ、ｇｉｆ、ｈｔｍｌ、ｈｔｍ、ｚｉｐ、ｔｉｆ、ｔｉｆｆおよびｗｍｆの拡張子を有するファイルを含み得るが、これらに限定されない。
【００１４】
メディア供給源１１２は、メディアプレーヤに対するメディアライブラリ１２０−１を含み得、該メディアライブラリは、例えば、ｉＴｕｎｅｓ（登録商標）オーディオプレーヤ、Ｗｉｎｄｏｗｓ（登録商標）  Ｍｅｄｉａ  Ｐｌａｙｅｒ（登録商標）（ＷＭＰ）、ＲｅａｌＰｌａｙｅｒ（登録商標）、およびその他のプレーヤに対するライブラリを含むがこれらに限定されない。各ライブラリは、様々なメディアコンテンツのコレクションを含み得る。コレクションは、ライブラリ内のファイルのサブセットである。コレクションは、ファイルに対する参照を含み得る。各コレクションは、ライブラリ内のゼロ個のファイルから全てのファイルまでいかなる箇所も参照し得る。音楽ライブラリのコレクションの例はプレイリストである。様々な実施形態において、メディアコンテンツの供給源１１２は、単一のコンピュータシステムまたは複数のコンピュータシステム上の１つ以上のフォルダ１２０−２内のファイルである。
【００１５】
処理モジュール１１４は、メディア供給源からデバイスまで、メディアコンテンツを転送するために、ソフトウェアおよび／またはハードウェアを含み、このデバイスは、関連するメディアを使用する。処理モジュールは、「コネクタ」として動作する手段を含み、このことは、処理モジュールが、特定のメディアプレーヤを用いて動作するように構成されているメディアファイルに関連付けられたメディア供給源とインターフェースする。処理モジュールは、システム１００に組み込まれるか、またはモバイルデバイスによって使用されるメディアプレーヤの各タイプに対して１つの、一組のコネクタと共に配置され得、該モバイルデバイスのメディアコンテンツは、システム１００によって管理される。処理モジュール１１４は、モバイルワイヤレス通信デバイスと相互作用するために、コネクタを含み得、ここで、モバイルワイヤレス通信デバイスはメディアコンテンツの供給源である。処理モジュール１１４は、様々なメディア供給源と接続する場合に、Ｗｉｎｄｏｗｓ（登録商標）  ＣＯＭインターフェースまたはＸＭＬファイルを使用し得るが、これらに限定はされない。さらに、処理モジュール１１４は、複数のメディア供給源から利用可能なメディアコンテンツの表示（例えば、メディアコンテンツの情報の１つ以上のライブラリ）を生成し得る。様々な実施形態において、メディアコンテンツは、メディアプレーヤによって再生される別のメディアファイルに関する情報を含み得る。例えば、ｊｐｅｇ（Ｊｏｉｎｔ  Ｐｈｏｔｏｇｒａｐｈｉｃ  Ｅｘｐｅｒｔｓ  Ｇｒｏｕｐ）ファイルは、アルバム上の歌に対するアルバムアートのファイルであり得、ここで、歌のメディアファイルがメディアプレーヤ上で再生される。
【００１６】
様々な実施形態において、処理モジュール１１４からの出力１１６は、処理モジュール１１４によって生成された表示である。この表示はまた、処理モジュール１１４によって維持され得る。出力１１６は、モバイルワイヤレス通信デバイス、またはメディアプレーヤに対するデバイス特有データを含み得る。出力１１６は、メタデータ（例えば、ユーザプリファランスまたはデバイス設定に基づくメタデータ）を含み得る。一般的に、メタデータは、データに関する情報である。様々なメディアコンテンツは、その他のメディアコンテンツに関するメタデータであり得る。例えば、ｊｐｇファイルフォーマットを有するファイルは、ｊｐｇファイルがｍｐ３ファイルに対するメタデータであるように、ｍｐ３ファイルフォーマットを有するオーディオファイルに関する情報を提供し得る。
【００１７】
例示的な実施形態において、表示は、メディア供給源ファイルのコンテンツを識別するための任意の手段であり得る。一部の実施形態において、処理モジュール１１４によって生成されたライブラリファイル１１６は、１つ以上のメディア供給源１２０−１…１２０−Ｎにおいて利用可能なメディアコンテンツに対するメタデータを含むが、実際のメディアコンテンツを省略する。ライブラリファイル１１６は、メディア供給源に含まれる情報を表す標準的なフォーマットを用いて編成され得る。様々な実施形態において、標準的なフォーマットは、圧縮フォーマット、および／またはメディアライブラリ自体よりかなり小さいフォーマットである。例えば、３０ＧＢのオーディオファイルを有するメディアライブラリは、２００ＫＢであり得るファイル内で処理モジュール１１４によって提示され得る。
【００１８】
動作時、図１に示されるメディアコンテンツを管理するためのシステム１００は、１つ以上のメディア供給源１２０−１…１２０−Ｎにおいて利用可能なメディアコンテンツの表示を生成し、モバイルワイヤレス通信デバイスを含む、メディアプレーヤを伴う任意のデバイスによって、メディアコンテンツにアクセスするための手段を提供する。デバイスは、表示をブラウズし得、メディア供給源から該デバイスまでコピーまたは転送するために個別のメディアコンテンツ項目を選択し得る。選択後、メディアコンテンツ項目の全てまたは一部が、デバイスに転送され得、デバイス上のメディアプレーヤで再生され得る。様々な実施形態において、システム１００は、複数のメディア供給源から単一の統合されたライブラリ１１６にコンテンツを運び、単一のライブラリから特定のデバイスにデバイス特有のメタデータをプッシュアウトする。
【００１９】
図２は、システム２００のメディア同期エンジン２１４−１．．．２１４−Ｍと、モバイルワイヤレス通信デバイス２１０−１．．．２１０−Ｎとの間でメディアコンテンツを転送するためのアーキテクチャのブロック図である。メディアコンテンツは、メディア供給源２２０−１．．．２２０−Ｒから提供され得る。メディア供給源２２０−１．．．２２０−Ｒは、システム２００に常駐し得る。メディア供給源２２０−１．．．２２０−Ｒのメディアコンテンツは、システム２００の外側の様々な供給源から提供され得る。例えば、メディア供給源２２０−１．．．２２０−Ｒは、インターネット上でアクセスされるメディアストアによって提供されるメディアファイルを格納するために、ライブラリとして生成されたシステム２００上に存在するメディアライブラリであり得る。メディア供給源２２０−１．．．２２０−Ｒは、ポータブルストレージ媒体（例えば、ＣＤまたはＤＶＤを含むがこれらに限定されない）から、ユーザによってシステムにロードされたメディアファイルを含み得る。モバイルワイヤレス通信デバイス２１０−１．．．２１０−Ｎはまた、メディア供給源であり得る。メディアファイルの転送において動作するメディア同期エンジン２１４−１．．．２１４−Ｍ（メディア同期エンジン（ｍｅｄｉａ  ｓｙｎｃ  ｅｎｇｉｎｅ）またはメディア同期アプリケーションとも称される）はまた、メディアライブラリおよびメディアファイルに関連付けられたメタデータライブラリファイルを管理するように動作し得る。メディアファイルは、メディアコンテンツに、システム２００のユーザまたはモバイルワイヤレス通信デバイス２１０−１．．．２１０−Ｎの１つ以上に対する、視覚表示および／またはオーディオ表示を提供するために、メディアプレーヤによって動作され得る。
【００２０】
メディア同期エンジン２１４−１．．．２１４−Ｍは、複数のメディア供給源から利用可能なメディアコンテンツを識別する表示（例えば、１つ以上のライブラリファイル）を生成し得、ライブラリからモバイルワイヤレス通信デバイス２１０−１．．．２１０−Ｎにデータを提供し得る。実施形態において、メディア同期エンジンは、図１に示される処理モジュールの例である。様々な実施形態において、メディア同期エンジンは、ｉＴｕｎｅｓ（登録商標）デジタル音楽ライブラリのようなメディアライブラリと、ＢｌａｃｋＢｅｒｒｙブランドのスマートフォンのようなスマートフォンとを同期する方法を提供する。ファイルは、ワイヤレス接続、または高速ＵＳＢ２．０接続のような有線の接続を用いて転送され得る。
【００２１】
モバイルワイヤレス通信デバイス２１０は、モバイル電話、ポータブルコンピュータ、パーソナルデジタルアシスタンツ（ＰＤＡ）、メディアプレーヤ、およびユーザにより便利に保持され、ワイヤレス通信を提供し得る、その他のデバイスを含むが、これらに限定はされない。モバイル電話は、一般的にセル電話と称されるワイヤレス通信デバイスを含む。モバイル電話は、音声通信を超える限定された機能性を有するポータブル電話から、パーソナルコンピュータの機能性を提供することが可能なポータブル電話までの広範囲の通信デバイスを含み得る。様々なタイプ／能力の複数のデバイスが、１つ以上のメディア同期エンジンエンジンを用いてメディアコンテンツを転送し得る。
【００２２】
図３は、例示的な実施形態に従って、少なくとも、図１に示される処理モジュールの機能性を提供する処理モジュール３１４のブロック図である。処理モジュール３１４は、ＰＣ上に存在し、該ＰＣは、１つ以上のモバイルデバイスと相互作用する。処理モジュール３１４は、同期モジュール３０３と、キャッシュマネージャ３０７と、ファインダー３０９と、１つ以上のコネクタ３１１とを含む。同期モジュール３０３は、モバイルデバイスとの同期動作を行う手段を含み、ここでこの動作はメディアファイルをモバイルデバイスへ追加することと、モバイルデバイスからメディアファイルを取り除くこととを含む。同期モジュール３０３は、モバイルデバイスと相互作用して、その識別を決定し、モバイルデバイス上の割り当てられたメディアストレージ上で情報を獲得する。同期モジュール３０３は、ＰＣのユーザインターフェース（ＵＩ）３１３と共に動作するように構成される。
【００２３】
コネクタ３１１は、ＰＣまたはモバイルデバイス上の特定のタイプのライブラリの特定のインスタンスを識別する。換言すると、コネクタ３１１は、個別のライブラリを見出す発見機能を行う。特定のライブラリに対するコネクタは、対応するアプリケーションプログラムインターフェース（ＡＰＩ）、プロトコル、ファイルフォーマットなどを用いて、特定のライブラリまたはファイルと通信可能である。個別のライブラリが発見されるとき、コネクタは、個別のライブラリのインスタンスから、メディアコレクションを引き出し得る。コネクタ３１１は、ｉＴｕｎｅｓコネクタ、ＷＭＰコネクタ、ＲｅａｌＰｌａｙｅｒコネクタ、およびＰＣユーザにプレゼンテーションを提供するためにそれぞれのメディア上で動作する手段と相関する様々な他のコネクタを含み得る。個別のコネクタは、読み取り専用コネクタおよび書き込み可能コネクタの組み合わせとして構成され得る。書き込み可能コネクタは、歌に対するユーザ割り当てされたレーティングを追加すること、プレイリストを作成すること、プレイリストを編集すること、歌を消去することなどのようなアクティビティを行い得る。
【００２４】
ファインダー３０９は、コネクタに発見機構を提供する。ファインダー３０９は、コネクタ３１１が処理に利用可能であることを識別し得る。利用可能なコネクタは、ファインダー３０９とレジスタし得る。別々のコネクタが各タイプのライブラリに対して使用される場合、ファインダー３０９によって発見される特定のコネクタが、処理モジュール３１４が動作するシステムに存在するライブラリのタイプを決定し得る。
【００２５】
キャッシュマネージャ３０７はまた、利用可能なコネクタのどちらを使用するかを決定し得る。例えば、メディアコンテンツのコレクションは、ｉＴｕｎｅｓソフトウェアを用いて、またはｉＴｕｎｅｓのｘｍｌファイルを介してのいずれかによってアクセスされ得る場合、キャッシュマネージャ３０７は、ｉＴｕｎｅｓコレクションにアクセスするために、ｉＴｕｎｅｓアプリケーションコネクタまたはｉＴｕｎｅｓ  ｘｍｌファイルコネクタのどちらかを用いるかを決定し得る。キャッシュマネージャ３０７は、複数の供給源／ライブラリに統合されたインターフェースを提供し得る。キャッシュマネージャは、様々なライブラリからのファイルを統合するバッファを維持し得る。例えば、同じ音楽のトラックが複数のライブラリに（例えば、ユーザのｉＴｕｎｅｓライブラリに、およびユーザのＷｉｎｄｏｗｓ（登録商標）  Ｍｅｄｉａ  Ｐｌａｙｅｒライブラリに）存在する場合、キャッシュマネージャは、様々なライブラリからのトラックの集約である単一のバッファを維持し得る。あるいは、キャッシュマネージャ３０７は、様々なライブラリの別々のバッファを維持し得る。キャッシュマネージャ３０７は、データストレージの任意の形式を用いてこのバッファを実装し得る。様々な実施形態において、データストレージは、持続的であるか、非持続的であるかのいずれかであり得る。
【００２６】
様々な実施形態において、キャッシュマネージャ３０７は、コネクタウォッチャ（ｃｏｎｎｅｃｏｔｒ  ｗａｔｃｈｅｒ）を実装し得る。コネクタウォッチャは、１つ以上のコレクションをモニタリングし、コレクションがいつ変更されたかを決定する。例えば、ｉＴｕｎｅｓ  ｘｍｌファイルが変更された場合、またはｉＴｕｎｅｓライブラリがアップデートした場合、キャッシュマネージャ３０７（これは特定のコレクションをモニタリングする）は、アップデートを検出し、適切なバッファに変更を読み込む。キャッシュマネージャ３０７はまた、デバイスライブラリをいつアップデートするかを決定し得る。
【００２７】
図１〜図３に示されるような実施形態および同様の実施形態は、デスクトップアプリケーションとして実装され得、複数の供給源からモバイルワイヤレスデバイスへメディアコンテンツを転送する。メディアコンテンツを管理するためのデスクトップアプリケーションは、ＰＣ上で起動され得る。デスクトップアプリケーションは、ＰＣのスタートアップにおいて自動的に起動され得る。デスクトップアプリケーションは、ＰＣへのデバイス接続の検出時に起動され得る。様々な実施形態において、ユーザは、デスクトップアプリケーションを起動し得る。あるいは、図１〜図３に示されるような実施形態および同様の実施形態は、モバイルワイヤレスデバイスが、複数の供給源からのメディアコンテンツと共にすでにモバイルワイヤレスデバイス上に存在するコンテンツをアップデートすることを可能にするように実装され得る。
【００２８】
様々な実施形態において、メディアコンテンツを管理するシステムは、多くの様々な機能を提供するように動作するように構築され得る。複数のメディア供給源からのコンテンツは、単一の統合されたライブラリおよび単一のライブラリからプッシュアウトされたデバイス特有のメタデータに入力され得る。メディアメタデータのコンパクトな表示を提供する、あるフォーマットのライブラリファイルは、図１〜図３に関して議論された処理モジュールと同様の処理モジュールの出力として生成され得る。スキームを変更することは、ファイルフォーマットでの表示でデータを選択し、グループ分けし、再編成するための選択のために使用され得る。システムを管理する様々な機能は、オリジナルの供給源識別の表示を維持することを含み得、その結果、ＩＤ、パスなどの識別子が実質的に同一のメディアコンテンツの様々な複数の供給源に関する情報を追跡／管理するために使用され得る。システムを管理する様々な機能は、デバイスへの転送の間に、メディアファイルに対するメタデータを注入または修正することを含み得る。注入されたメタデータの例は、アルバムアートと、音量設定および他のデバイス設定と、ユーザプリファランスとその他のパラメータとを含み得る。
【００２９】
モバイルデバイス上でのメディアコンテンツの管理は、１つ以上の装置（例えば、複数のＰＣ）のメディア同期エンジンとの相互作用を介して実現され得る。モバイルデバイス（例えば、モバイルワイヤレス通信デバイス）は、このような相互作用を介して、各ＰＣ上のメディアファイルの利用可能性に関する情報およびモバイルデバイス上に存在するメディアコンテンツの供給源であったＰＣの識別を獲得する。
【００３０】
システムを管理する様々な機能は、情報をモバイルデバイスに転送するためおよびモバイルデバイス上に存在する情報を代表する簡略化されたユーザインターフェース（ＵＩ）を含み得る。ＵＩは、デバイス能力を超えるメディアコンテンツのユーザ選択を取り扱うための判定基準を提供する表示を生成し得る。様々な実施形態において、ＰＣのアプリケーションは、ＰＣのライブラリにおける情報を使用し得、デバイス能力を超えるメディアコンテンツのユーザ選択を自律的に取り扱う。ＵＩは、ユーザが選択するの自動フィル機能を提供し得、その結果ＰＣがモバイルデバイスへ転送するためにメディアコンテンツの選択を自律的に取り扱う。様々な実施形態において、モバイルデバイスは、モバイルワイヤレス通信デバイスであり得る。モバイルワイヤレス通信デバイスは、ＰＣと実質的に同一の方法でメディアコンテンツを管理する手段を含み得る。
【００３１】
図４は、ファイルが１つの装置から別の装置に転送される場合にメタデータを注入することを含む方法の機能を示す。４１０において、デバイスへの転送のために識別された１つ以上のファイルに関する情報を有するメタデータファイルが獲得される。メタデータファイルは、デバイスへの転送のために識別されたメディアファイルと共通の転送プロセスにおいて転送され得る。これらのファイルは、例えば、ビデオファイル、オーディオファイル、ピクチャファイルおよびマルチメディアファイルであり得るが、これらに限定はされない。メタデータファイルは、所与のメディアファイルに関連付けられた実質的に全てのメタデータを提供するメタデータライブラリファイルであり得る。メタデータライブラリファイルは、パーソナルコンピュータのような装置の全てのメディアファイルに対する単一の統合されたライブラリとして構成され得る。あるいは、この装置は、多くの包括的なメタデータライブラリファイルを有し得、それぞれ異なるメディアライブラリ（例えば、音楽ライブラリ、ビデオライブラリ、マルチメディアライブラリ、ピクチャライブラリ）と関連付けられる。さらに、メタデータファイルは、メディアライブラリの情報のサブセットを含むメタデータファイルとして編成され得、ここで情報のサブセットは、デバイスへの転送のために識別されたファイルに基づいて決定される。メタデータライブラリファイルは、モバイルデバイス上に常駐し得、そしてモバイルデバイス上で使用され得、該メタデータライブラリファイルは、メタデータライブラリ内に情報を有するファイルにおいて動作する。デバイスによる動作は、音楽を再生すること、ビデオを再生すること、および／またはピクチャを表示することを含み得る。モバイルデバイスは、様々なメディアファイルにおいて動作するように、多くの異なるメディアプレーヤを有し得る。これらのメディアプレーヤは、ハードウェアおよびソフトウェアの組み合わせとして実現され得る。
【００３２】
例えば、音楽を再生するモバイルワイヤレス通信デバイスは、デバイス上に格納される全ての音楽ファイルに関連付けられたメタデータファイルを有し得る。音楽を再生するモバイルワイヤレス通信デバイスは、デバイス上に格納された音楽ファイルのプレイリストに関連付けられたメタデータファイルを有し得る。モバイルワイヤレス通信デバイスは、ＰＣに格納された全ての音楽ファイルに関連付けられたメタデータファイルを有し得、モバイルワイヤレス通信デバイスは、該モバイルワイヤレス通信デバイスに音楽ファイルをダウンロードするためにアクセスし得る。さらに、モバイルワイヤレス通信デバイスは、複数のメディアプレーヤを含み得る。複数のメディアプレーヤは、単一のタイプのメディアに対して複数のプレーヤを含み得る（例えば、音楽を提供する複数のプレーヤ）。
【００３３】
４２０において、メタデータファイルのメタデータは、宛先へのメタデータファイルの転送の間に修正され、その結果、宛て先におけるファイルは、いかなる中間ファイルまたは一時ファイルが作成されることなしに、異なるメタデータまたは追加のメタデータを有することによって、供給源と異なっている。様々な実施形態において、メディアメタデータファイルは、デバイスへのメディアメタデータファイルの転送の間に修正される。メディアメタデータファイルは、メディアメタデータライブラリファイルであり得る。全ての種類のメディアファイルに対して、メタデータは、１つ以上の音楽メディアファイルに関連付けられたポリシーパラメータおよび／またはユーザ設定の注入、ファイルが転送されるべきデバイスおよび／または該デバイスのユーザに従って修正され得る。様々な実施形態において、音楽メディアファイルメタデータは、音楽ファイルに関連付けられたアルバムアートの注入によって修正され得る。様々な実施形態において、音楽ファイルに対する音量設定は、メタデータライブラリファイルに注入され得、これにより、音量設定が、異なる音楽ファイルに対して異なり得る。様々な実施形態において、メタデータライブラリファイルのメタデータは、音楽メディアファイルに関連付けられた再生制限または選択可能性（例えば、年齢に対するコンテンツベースの制限であるが、これに限定されない）を注入することにより修正され得る。様々な実施形態において、ビデオメディアファイルのメタデータは、ビデオメディアファイルに関連付けられた閲覧制限（例えば、年齢に対するコンテンツベースの制限であるが、これに限定されない）を注入することによって修正され得る。様々な実施形態において、メディアファイルのメタデータは、転送の供給源を示すアーティファクトを注入することによって修正され得る。
【００３４】
様々な実施形態において、メタデータのメディアメタデータファイルへの注入は、メディア同期プロセスの間に、メディアファイルのＰＣからワイヤレス通信デバイスへの転送の間に発生し得る。メタデータの注入は、新しいメタデータをメタデータファイルに追加すること、またはファイル内のメタデータを他のメタデータと置き換えることを含み得る。ファイル内のメタデータを別のメタデータと置き換える場合、ＰＣ上で実行されるアプリケーションが、ＰＣによってアクセス可能な格納されたメタデータのセグメントがあることの決定を行い得、このセグメントは、ワイヤレス通信デバイスに転送されるべきメタデータファイルに現在ある対応するセグメントよりも転送されるメディアファイルに関連する。より関連性があると決定されたメタデータは、メタデータファイルから除去された対応するセグメントと共にメディアメタデータファイル内に配置され得る。さらに、追加のメタデータが、置き換えるメタデータが導かれた供給源を示すメタデータファイルに挿入され得る。
【００３５】
一実施形態において、ＰＣは、統合されていないメディアライブラリを含み得る。統合されていないメディアライブラリは、１つ以上の供給源からアクセス可能な多くのメディアファイルまたは全てのメディアファイルに対するメタデータを含む。メタデータは、ＰＣの１つ以上のアプリケーションにより収集および格納され、このＰＣは、メディアファイルを管理するメディアアプリケーションによるアクティビティのアーティファクトとしてメタデータをモニタリングおよび収集する。メタデータの獲得および格納は、ＰＣのユーザのアクティビティを含み得、ここで、このアクティビティは、メディアファイルの機能に関連する。例えば、インターネット上のサイトがアクセスされ、音楽がＰＣ上においてストリーミングモードで再生されるとき、音楽の識別、アーティストの名前、音楽トラックの長さ、ウェブサイトの識別は、ＰＣによってアクセス可能なストレージ媒体に収集および格納され得る。同一の音楽が同一のウェブサイトからアクセスされる場合には、この情報が捕捉され得、２つの発生は、高い信頼度のレベルを有する同一の音楽であることに関連し得る。同一の音楽が別のウェブサイトからアクセスされる場合には、収集されたデータは異なるが、両方に共通の情報を用いると、２つの音楽のインスタンスが異なる信頼度のレベルを有して同一であると識別され得る。さらに、ＰＣによって格納されたメディアファイルに関する全ての情報は、異なる供給源からの異なるメタデータを含み得る。例えば、ＰＣ上のｉＴｕｎｅｓ（登録商標）ライブラリに格納された歌の音楽ファイルとｉＴｕｎｅｓ（登録商標）ライブラリ以外の供給源から提供されたその歌のアルバムアートとによって、統合されていないメディアライブラリは、その歌に関連付けられたアルバムアートを、このメタデータの供給源の識別と共に含み得る。メタデータの獲得、格納および分析は、音楽ファイルに対するメタデータに限定されないが、ビデオファイル、マルチメディアファイル、ピクチャファイル、ドキュメントファイルおよびその他のメディア関連ファイルを含み得る。
【００３６】
様々な実施形態において、ＰＣによって管理される１つ以上のメディアファイルは、モバイルデバイス（例えば、モバイルワイヤレス通信デバイスであるが、これには限定されない）に転送される。転送の開始は、様々な機構を用いて生成され得る。ＰＣのユーザインタフェースにおけるユーザは、ファイルの転送を選択し得る。転送がメディアファイルのダウンロードアクティビティ、またはＰＣ上の一組のメディアファイルをワイヤレス通信デバイス上のメディアファイルとして同期する同期アクティビティをユーザが選択することにより開始し得る。転送は、ユーザ選択の後、ワイヤレス通信デバイスがメディアファイルを受信するための容量を有しているというＰＣのアプリケーションによる決定、メディアファイルを転送するための容量を有するワイヤレス通信デバイスへの通信パスがあるというＰＣのアプリケーションによる決定、および／またはＰＣからワイヤレス通信デバイスへの転送における他の制限がないというＰＣのアプリケーションによる決定などの因子に基づき、しばらくして開始し得る。他の判定基準がファイルを転送するために使用され得る。
【００３７】
さらに、モバイルデバイスのユーザは、ユーザのモバイルデバイス上で再生するためのメディアファイルのリストを介してブラウズすることを望み得る。スクリーンディスプレイを有するモバイルデバイスによって、モバイルデバイス上のメディアファイルに関する情報が、様々なフォーマットでスクリーンディスプレイ上に提示され得る。メディアファイルに関する表示された情報、またはモバイルデバイスにアクセス可能な情報は、各メディアファイルに対して、メディアアートの名前、アーティスト、メディアアートに関連付けられた時間長、メディアアートに関連付けられたアートワーク作品を含み得る。音楽メディアの選択に対して、表示される情報は、歌の名前、歌を歌っているグループの人物名、歌を再生するトラック長、その歌がアルバムの一部であるアルバムのアルバムアートを含み得るがこれらに限定はされない。ビデオメディアの選択に対して、表示される情報は、映画の名前、映画で演じている主役、映画を再生するトラック長、映画を広告することに関連するマーキーアートを含み得るが、これらに限定されない。選択されるメディアまたはスクリーンディスプレイ上に提示されるメディアの選択に関する特徴的な情報を有するモバイルデバイス上で再生され得る、その他のメディアは、音楽ビデオ、テレビ番組、ユーザインタラクティブアプリケーション、オーディオブック、ポッドキャスト、ゲームおよびその他のメディアプレゼンテーションを含み得るが、これらに限定されない。情報は、モバイルデバイス上のメディアフィルを管理し、ＰＣとのメディア同期を管理し、そして／またはモバイルデバイスの外側の他の供給源からのメディアファイルの獲得を管理するアプリケーションのためのデータを含み得る。情報は、モバイルデバイス上のアプリケーションによる管理のための種々のフォーマットで、メディアファイルと関連付けられるメタデータとしてモバイルデバイスに格納され得る。
【００３８】
図５は、様々な実施形態に従う、転送のためにメタデータファイルを修正する、ストリームビルダ５００の例を示す。メディアファイルに関連付けられたメタデータファイルを転送する際に、ＰＣは、ファイルを受信するモバイルデバイスによって使用され得るフォーマットでファイルを転送する。ＰＣは、異なるモバイルデバイスによって転送プロトコルを満足させるために、複数の異なるフォーマットを生成する手段を含み得る。この手段は、モバイルデバイスによって読み取られ得る情報をフォーマットするルールを含み得る。転送するためのメディアファイルの選択時に、メタデータストレージ位置へのパスが、選択されるメディアファイルに対応して決定される。メタデータストレージ５０２内のメタデータは、メディアファイルおよび関連するメタデータを指定されたモバイルデバイスに転送するためのルールに対応するファイルフォーマットに従って、バッファ５０５に出力される。モバイルデバイスは、ＰＣとモバイルデバイスとの間の通信リンクの確立の際に指定され得、そして／またはモバイルデバイスは、メディア同期に使用され得るＰＣ上のユーザのアクティビティにおいて指定され得る。
【００３９】
メタデータを読み取る指定されたモバイルデバイス上のアプリケーションと均等的に同一の方法で、バッファ５０５内の情報を読み取るエクストラクタ５１０は、所望のメタデータを、指定されたモバイルデバイスへ転送される出力バッファ５１５に書き込む。出力バッファ５１５への書き込みの間に、メタデータは、指定されたモバイルデバイスへ転送されるメタデータファイルに注入され得る。様々な機構がメタデータを注入するために使用され得、バッファ５０５内のデータを変更して、出力バッファ５０５内のデータを実現する。例えば、エクストラクタ５１０は、バッファ５０５から出力バッファ５１５へのデータフローとしてデータ注入を行い得る。データ注入はエクストラクタ５１０による修正を含み得ない。ストリームビルダの定義は、バッファへのストリームのローディングなしになされ得、メモリ、ファイルおよびネットワークストリーム内の様々なバッファから組み合わされ得る。様々な実施形態において、ストリームの転送がいくつかのストリームビルダに対してバッチ処理され、共有のバッファリソースの使用を可能にし、転送帯域幅、ＣＰＵ時間、スレッドおよび永続的ディスクスペースなどのコンピューティングリソースの有効な使用のためのＩＯ演算をスケジューリングする。
【００４０】
歌などのメディアアートの選択が、受信モバイルによって予期される情報全てを含まないメディアライブラリからである場合には、エクストラクタ５１０は、ファイル転送ルールに従って情報を注入し得る。ミッシング情報が別のメディアライブラリにあるか、またはメディアファイルを提供する供給源以外の供給源と関連付けられる場合には、エクストラクタ５１０はメタデータを注入し得る。例えば、選択された歌が関連するアルバムアートワークなしに、ＰＣ上のｉＴｕｎｅｓ（登録商標）ライブラリに存在する場合には、エクストラクタ５１０は、例えば、ｊｐｅｇファイルのようなアルバムアートワークを注入し得、このアルバムアートワークはＷＭＰ（登録商標）ライブラリ内の歌に関連付けられたＰＣに格納される。異なる供給源からのアルバムアートワークの注入は、選択された歌が実質的に同一であることと、選択されたアルバムアートワークが選択された歌に対応することとの信頼度レベルに基づき得る。あるいは、ＰＣ上のアプリケーションは、選択された歌および異なる供給源からの関連するアルバムと、異なる供給源からのアルバムアートの品質との間の関連性に関する信頼度レベルを用いて、選択された歌の供給源とは異なる供給源からの歌のアルバムワークと置き換え得る。
【００４１】
転送のための一組のルールに従って、バイト１〜ｎの文字列として、モバイルデバイスに転送されるファイルによって、歌のアルバムワークまたはアルバムワークがない場合の表示のいずれかの情報がバイトｉ〜ｊに位置付けられ得る。エクストラクタ５１０は、情報を除去し得、位置ｉ〜ｊにアルバムアートワークを挿入し得る。アルバムアートワークの挿入が位置ｉ〜ｊのバイト数に整合しない多数のバイトを必要とする場合、バイトサイズの変更に関する情報が、モバイルデバイスに転送されるファイルのヘッダ情報に提供され得る。除去動作を行うよりむしろ、エクストラクタ５１０は、バッファ５０５に送られるバイト１〜（ｉ−１）が出力バッファ５１５に書き込まれ得、ファイルに注入されるバイトが出力バッファ５１５に書き込まれ得、バイト（ｉ−１）に続いてバイトｉにおいて始まり、ファイルのバッファ５０５に送られるバイト（ｊ＋１）〜ｎが出力バッファ５１５に送られ、注入されるデータに続く。アルバムアートワークへの注入に加え、アルバムワートワークに関する他のメタデータ（例えば、アルバムアートワークに関連する（１つ以上の）供給源、これらの供給源に関する信頼度レベル、およびアルバムアートワークを注入することから精製されるアーティファクト）がある。出力ストリームの注入および合成は、ストリームビルダにおいて全て定義される任意の数の追加、除外および置き換え動作の結果であり得る。
【００４２】
バッファ５０５および出力バッファ５１５は、注入プロセスを適応させるために十分なサイズで構築され得る。バッファ５０５および出力バッファ５１５は、可変サイズのバッファとして編成され得、メタデータ注入プロセスにおいて生成されたデータの追加のバイトを含む。追加の情報が、注入される情報のファイル文字列における開始位置および終了位置または注入される情報のファイル文字列における開始位置と、注入されるデータの長さと、修正されるファイルのサイズとを含み得る。忠実度レベルが、ファイルが転送されたときにメタデータとして注入され得、メディアファイル（例えば、転送される歌）に関する情報を提供し、これはメディアファイルがメディアアートのサンプルであるかどうか、メディアアートの完全なコピーでないかどうかおよびメディアアートの品質に関する他の情報を含み得るが、これらに限定されない。サンプルの使用は、ユーザが、完全なメディアアートが転送されるべきか否かを決定することを可能にし得る。このサンプルプロセスは、転送のために通信媒体上の大量の容量を用いることなしに、評価を可能にし、多くの歌のような、多くのメディアのサンプリングを提供し得る。このサンプルプロセスは、より多くの組のメディアアート（例えば、歌のコレクションまたは映画のコレクション）が獲得されるべきか否かを決定するための評価を可能にする。獲得は、オンラインストアを経由した選択されたメディアアートの購入または機械読み取り可能媒体（例えば、ＣＤ、ＤＶＤまたはその他のメディアに対するフォーマット）の購入によってなされ得る。
【００４３】
トランスコーディング（Ｔｒａｎｓｃｏｄｉｎｇ）は、１つのフォーマットから別のフォーマットへのデジタル−デジタル変換のような、１つのメディアフォーマットを別のメディアフォーマットへの変換することである。典型的には、これはオリジナルデータを中間メディアフォーマットにデコードすること／圧縮解除することを含み得、その後に中間フォーマットのターゲットフォーマットへの再エンコードが続く。トランスコーディングは、異なるプラットフォームまたはオペレーティングシステム上で機能するように、組み立てられたコードを変更するプロセスを含み得る。トランスコーディングは、メディアファイルまたはオブジェクトを１つのフォーマットから別のフォーマットに変換するプロセスを提供する。例えば、トランスコーディングは、ビデオフォーマット（例えば、Ｂｅｔａ、ＶＨＳ（Ｖｉｄｅｏ  Ｈｏｍｅ  Ｓｙｓｔｅｍ）、ＱｕｉｃｋＴｉｍｅ、Ｖｉｄｅｏ  ｆｏｒ  Ｗｉｎｄｏｗｓ（登録商標）、ＭＰＥＧ（Ｍｏｖｉｎｇ  Ｐｉｃｔｕｒｅ  Ｅｘｐｅｒｔｓ  Ｇｒｏｕｐ）およびその他のビデオフォーマット）間で変換するために使用され得る。トランスコーディングは、オーディオフォーマット（例えば、ｗａｖ（Ｗａｖｅｆｏｒｍ  ａｕｄｉｏ  ｆｏｒｍａｔ）、ａｕ（Ａｕｄｉｏ  Ｆｉｌｅ  ｆｏｒｍａｔ）、ｍｐ３（ＭＰＥＧ−１  Ａｕｄｉｏ  Ｌａｙｅｒ  ３）、ｗｍａ（Ｗｉｎｄｏｗｓ（登録商標）  Ｍｅｄｉａ  Ａｕｄｉｏ）、ａｉｆｆ（Ａｕｄｉｏ  Ｉｎｔｅｒｃｈａｎｇｅ  ＦｉｌｅＦｏｒｍａｔ）およびその他のオーディオフォーマット）間で変換するために使用され得る。トランスコーディングは、マルチメディアコンテナフォーマット（例えば、ｍｐ４、ＱｕｉｃｋＴｉｍｅ、または同様のフォーマット）間で変換するために使用され得、これらはデジタルオーディオストリーム、デジタルビデオストリームおよび関連するデータを格納するために共通に用いられる。その他のメディア変換は、モバイルデバイスにおいて使用するためのテキストファイルおよびグラフィックファイルを含み得、これらもバイルデバイスは小さいスクリーンサイズと少ないメモリと低い帯域幅レートとを有し得る。トランスコーディングは、メディアフォーマットを変更することなしに、より低いビットレートへファイルをエンコードすることを提供し得、このプロセスもまたトランスコーディングとして公知である。トランスコーディングは、特定のモバイルデバイスがサポートするように構成されるフォーマットに従って、特定のモバイルデバイスに対するフォーマットを提供する機構をＰＣに提供する。トランスコーディングは、オプションの手順であり得る。なぜなら、一部のメディアコンテンツはトランスコーディングなしで提供され得るからである。
【００４４】
様々な実施形態において、図５のストリームビルダに類似した、装置上のアプリケーションは、１つ以上のメディアファイルがモバイルデバイスに転送される場合に、メタデータ注入を提供するように実現され得る。アプリケーションは、複数の供給源から情報のストリームを取得するように、ストリームの合成を含むファイルを生成するように配置され得、別の装置上で読み取られ得る順序で配置される。データストリームの合成の順序は、両方の装置によって格納されるか、または決定可能な１つ以上のルールセットの下で定義され得る。
【００４５】
合成の様々なストリームの長さおよび位置は、様々な機構を用いて受信装置に提供され得る。長さ情報および位置情報は、ストリームの合成を含むファイルの一部としてヘッダに提供され得、ここで、ヘッダ情報に関するルールが各装置に格納され得る。長さ情報および位置情報は、別々のファイルに提供され得る。長さ情報および位置情報は、ストリームの合成を含むファイルフォーマットによって提供され得、該ストリームの合成はファイルを読み取るための方法を規定するディクショナリを含む。
【００４６】
ファイルの転送の間のメタデータ注入は、様々な装置において使用され得る。ＰＣは、モバイルデバイス（例えば、モバイルワイヤレスデバイス）へのメディアファイルの転送の際にメタデータ注入を提供し得る。ＰＣは、モバイルワイヤレス通信デバイスによってワイヤレスサーバとして動作する手段を含み得る。モバイルデバイスは、メディアファイルまたは所与の組のメディアファイルに関するメタデータの転送においてメタデータ注入を、パーソナルコンピュータに、ＰＣを介してモバイルデバイスに、そして／またはその他のモバイルデバイスに提供し得る。このようなモバイルデバイスは、モバイルワイヤレス通信デバイスとして実現され得る。様々な転送は、ＵＳＢ接続または他のそのようなリンクによって提供されるような直接有線リンク、Ｗｉ−Ｆｉネットワークまたは他のそのようなリンク、広範囲ワイヤレスネットワークおよびその他の通信パスを用いて行われ得る。
【００４７】
様々な実施形態において、メタデータ注入は、ＰＣ上の１つ以上のメディアライブラリに関連付けられたメタデータをモバイルデバイスにマッピングするために使用され得る。モバイルデバイスは、モバイルワイヤレス通信であり得る。ＰＣは、ワイヤレスサーバを含むように構成され得る。ＰＣは、メディア同期エンジンと、Ｋ個のメディアライブラリとを含み得、メディアライブラリの各々はＮｉ個のメディアファイルのコレクションを有する。メディア同期エンジンは、Ｍ個のデータのコレクションを含み得、Ｋ個のメディアライブラリのＮｉ個のコレクションに関するアーティファクトを含み得、メディアエンジンがモバイルデバイスに同期し得る。メディアエンジンは、様々な判定基準に基づいてモバイルデバイスに同期され得るデータの量に限定され得、これらの判定基準はメディアファイルの性質を含み得る。特定のメディアファイルは、ＰＣ以外のデバイス上で再生することから制限され得、該デバイス上でそのメディアファイルが獲得されている。さらに、様々な判定基準に基づいて、Ｐ個のメディアファイルのコレクションは、モバイルデバイスへのダウンロードのために選択され得る。Ｐ個のコレクションの選択は、メディアファイルのサイズ、利用可能な伝達の容量、モバイルデバイスの設定、ユーザプリファランス、およびモバイルデバイスに登録された識別されるユーザのアクティビティにおける制約に依存し得る。モバイルデバイスの登録されたユーザの識別は、ＰＣとモバイルデバイスとの間の通信リンクの確立において決定され得る。あるいは、様々な実施形態において、メタデータ注入は、ＰＣ上の１つ以上のメディアライブラリに関連するメタデータを、直接的にメディアライブラリからモバイルデバイスにマッピングするために用いられ得る。様々な実施形態において、メディアライブラリはＰＣの外部にあり得る。
【００４８】
様々な実施形態において、メディアメタデータファイルはＰＣからワイヤレス通信デバイスに転送され、該ワイヤレス通信デバイスは幾つかの方法でＰＣに関連付けられる。ＰＣからワイヤレス通信デバイスに転送されるメディアメタデータファイルは、ＰＣ上でメディアファイルを識別するメディアライブラリファイルであり得る。一実施形態において、いったん転送されると、ワイヤレス通信デバイスはＰＣと同一のメディアライブラリファイルを有するが、ワイヤレス通信デバイス上のメディアライブラリファイルは、メタデータの形式で追加の情報を含み得るところが異なり、メタデータはＰＣからワイヤレス通信デバイスへのメディアライブラリファイルの転送のアーティファクトとして生成される。アーティファクトの注入は、メタデータを動的に修正するために、メタデータのスタンプコーディングとして閲覧され得、その結果、デバイス上に配置されるものはＰＣ上に配置されたものと異なっている。メタデータのスタンプコーディングは、転送されるメディアメタデータファイルの供給源としてのＰＣの識別を含み得る。
【００４９】
様々な実施形態において、デバイス上のメディアファイルおよび保留中の転送を管理するためのＵＩが提供される。このＵＩは、ステータス（例えば、デバイス上、ＰＣ上など）および／または動作（例えば、ダウンロードする、購入する、プレビューする、電子メールを使用する、リモートで再生する）についてのグラフィカルインジケータを含み得る。１つのデバイスからの一部の例示的なＵＩスクリーンは図６〜図１１に提供される。
【００５０】
図１〜図５に示される実施形態は、デスクトップアプリケーションとして実装され、メディアコンテンツをモバイルワイヤレス通信デバイスに同期させ得る。図１〜図５に示される実施形態はまた、ユーザがブラウズし、ＰＣ上のライブラリをモバイルワイヤレス通信デバイス上のライブラリに同期させるために、モバイルワイヤレス通信デバイスを使用することを可能にし得る。
【００５１】
様々な実施形態において、デバイス構成および動作方法は、モバイルワイヤレス通信デバイスのユーザに提供され、有線接続および／またはワイヤレスに、音楽を同期／転送する能力を用いて、それらのモバイルワイヤレス通信デバイスから直接、それらの音楽のホーム音楽ライブラリをリモートでビューおよび／または管理し、それらの使用のコンテキスト内でそれらを判断する。このような転送は、パーソナルコンピュータ（ＰＣ）において実現され得る。このような転送は、ワイヤレスサーバにおいて実現され得、該サーバにおいて、ユーザおよび／またはモバイルワイヤレス通信デバイスは、このような転送に入力することが可能にされるように登録される。ワイヤレスサーバは、パーソナルコンピュータにおいて構成され得る。モバイルワイヤレス通信デバイスは、例えば、セル電話タイプのデバイスのようなハンドヘルドデバイスであり得る。モバイルワイヤレス通信デバイスは、ラップトップコンピュータのようなポータブルコンピュータであり得る。このような構成および動作構造は、ユーザのモバイルワイヤレス通信デバイスおよびユーザのパーソナルコンピュータにおいての両方で、マルチメディアファイル、オーディオファイル、ビデオファイルおよび／またはそれらの組み合わせを管理するためのわかりやすいユーザフレンドリーな方法を提供し、これらはユーザに属するか、またはユーザがアクセス可能である。
【００５２】
様々な実施形態において、コンピュータ（および関連するコンピュータのメディアマネージャ）とモバイルワイヤレス通信デバイスとの間のマルチメディアファイル、オーディオファイル、ビデオファイルおよび／またはそれらの組み合わせの転送／同期は、多くの機構を用いて達成され得る。モバイルワイヤレス通信デバイスとワイヤレスサーバとの間の転送／同期が、ＵＳＢ接続を介して達成され得る。モバイルワイヤレス通信デバイスとワイヤレスサーバとの間の転送／同期は、Ｗｉ−Ｆｉ通信セッションを介して達成され得る。モバイルワイヤレス通信デバイスとワイヤレスサーバとの間の転送／同期は、ワイヤレスネットワークのようなワイドエリアネットワーク（ＷＡＮ）を介して達成され得る。
【００５３】
様々な実施形態において、モバイルワイヤレス通信デバイスは、ハードウェア、ソフトウェアおよびそれらの組み合わせを用いて構成され、その関連するＰＣまたは関連するワイヤレスサーバからオフラインで閲覧し、インターネット、１つ以上のライブラリからオフラインにし、これらはマルチメディアファイル、オーディオファイル、ビデオファイル、写真、ビデオ、ポッドキャストおよび／またはこれらの組み合わせをモバイルワイヤレス通信デバイスに含み得る。このようなライブラリは、ｉＴｕｎｅｓ（登録商標）のライブラリ、Ｗｉｎｄｏｗｓ（登録商標）  Ｍｅｄｉａ  Ｐｌａｙｅｒ（登録商標）のライブラリ、他の音楽ライブラリ、ビデオライブラリ、その他のマルチメディアライブラリを含み得る。モバイルワイヤレス通信デバイスは、実行可能な命令を含み得、該命令は該デバイスのユーザが、モバイルワイヤレス通信デバイスとその関連するパーソナルコンピュータまたはワイヤレスサーバとの間で同期するために、マルチメディア、音楽、ビデオおよび／またはそれらの組み合わせを閲覧し、編集し、消去し、スケジューリングすることを可能にする。全ての変更／要求／転送は、関連するパーソナルコンピュータまたはワイヤレスサーバへのＵＳＢ、Ｗｉ−ＦｉまたはＷＡＮ接続のうちの１つ以上の確立時に自律的に発生し得る。様々な実施形態において、パーソナルコンピュータは、ワイヤレスサーバとして動作する適切な手段によって構成され得る。モバイルワイヤレス通信デバイスのハードウェアおよびソフトウェアは、ユーザのＰＣのユーザのライブラリ（例えば、ユーザのｉＴｕｎｅｓ（登録商標）またはＷｉｎｄｏｗｓ（登録商標）  Ｍｅｄｉａ  Ｐｌａｙｅｒ（登録商標）（ＷＭＰ）からの音楽を含むがこれらに限定されない）を、モバイルワイヤレス通信デバイスから直接的に管理する、リモート管理ツールを有するマルチメディア同期アプリケーションを含み得る。様々な実施形態は、マルチメディアプレゼンテーション、ビデオおよび／または音楽を管理、再生および同期する機能を提供し、これらはＰＣ同期とリモートアクセスとの間のギャップをブリッジし、このような管理をデスクトップに限定せずにハンドヘルドデバイスからメディア管理を実現する。
【００５４】
様々な実施形態において、モバイルワイヤレス通信デバイスは、ユーザのＰＣ音楽ライブラリ全体へのオフラインアクセスを可能にし、双方向同期を可能にするように構成され、双方向同期は、モバイルワイヤレス通信デバイスとＰＣ上のターゲットメディアマネージャとの間の無線を含む。例えば、モバイルワイヤレス通信デバイスは、メディアコンテンツのハンドセットへの直接的なストリーミングと関連する限定を避けて、メディアのダウンロードおよび同期をスケジュールするように構成され得る。モバイルワイヤレス通信デバイスは、リモート管理アプリケーションおよびワイヤレス同期アプリケーションによって構成され得、ここでは各々がモバイルワイヤレス通信デバイスからのユーザのメディアライブラリへの直接的なアクセス（最適化コピー）を有する。このライブラリへのアクセスは、インターネット上の関連するＰＣまたはサーバへのネットワーク接続を必要とし得ない。ライブラリは、マルチメディアライブラリ、音楽ライブラリ、ビデオライブラリまたはこれらの組み合わせとして編成され得る。一実施形態において、ユーザの音楽ライブラリの最適化バージョンは、ユーザのモバイルワイヤレス通信デバイスに含まれ得、該デバイスはオフラインの閲覧および管理を可能にし、その結果、最適化された音楽ライブラリファイル（すなわち「インデックス」）がユーザのモバイルワイヤレス通信デバイス上に存在するが、実際の歌自体には存在しない。ダウンロード／同期に対する任意の編集または要求が、ＵＳＢ、ＷＡＮまたはＷＬＡＮ（ワイヤレスローカルエリアネットワーク）を介する接続時にユーザの関連するＰＣと同期させる。ダウンロードに対して要求された新しいメディアコンテンツ（例えば、新しい音楽コンテンツ）は、ダウンロード「マネージャ」／キューに含まれ得、次のＵＳＢまたはＷｉ−Ｆｉ接続時にユーザのデバイスに送られ得る。ダウンロードは、ワイヤレスネットワークにおける次の接続時に送られ得、このネットワークにコンピュータが結合される。ユーザが選択すべき実施形態において、それらはセルラネットワークを介した保留中のダウンロードキューにおける任意の項目の転送／ダウンロードを行わせ得る。
【００５５】
様々な実施形態において、モバイルワイヤレス通信デバイスは、ハードウェアおよびソフトウェアによって構成され得、これらは、ユーザに対する使用の単純な容易さと、モバイルワイヤレス通信デバイスとデスクトップマネージャとの間の統合、および／またはパーソナルコンピュータにおいて構成されたワイヤレスサーバのメディア同期アプリケーションと、ＵＳＢ同期、ＷＬＡＮ同期、ＷＡＮ同期またはユーザのＰＣとユーザのモバイルワイヤレス通信デバイスとの間のそれらの組み合わせを用いた同期のサポートと、様々なメディアプレーヤ（例えば、ｉＴｕｎｅｓ（登録商標）およびＷｉｎｄｏｗｓ（登録商標）  Ｍｅｄｉａ  Ｐｌａｙｅｒ（登録商標）を含むがこれらに限定されない）との統合と、ライブラリの少量／最適化されたコピーを介して閲覧するためのネットワーク接続なしに、ユーザがそれらのメディアライブラリをモバイルワイヤレス通信デバイスから直接的に閲覧する能力と、アルバム、アーティスト、ジャンル、プレイリストによってライブラリコンテンツを閲覧する能力と、音楽（例えば、個別の歌、アルバム、アーティスト、プレイリストを含むがこれらに限定されない）をダウンロードマネージャ／キューに追加する能力と、関連付けられた１つ以上のＰＣへの次のＵＳＢまたはＷｉ−Ｆｉ接続の際にユーザのモバイルワイヤレス通信デバイスとダウンロードキュー内のメディアとを転送／同期する能力と、ユーザの自宅のＰＣ上のメディアライブラリとの双方向同期とを提供する。双方向は、ＰＣのアクティビティと類似した方法で行われるモバイルワイヤレス通信デバイス上のアクティビティを可能にする。例えば、ユーザが、モバイルワイヤレス通信デバイスから音楽を消去し、または、プレイリストを生成／編集する場合に、このデータは、有線および／またはワイヤレスで転送され得、これらの変更はユーザの関連するＰＣ上のメディアライブラリに反映されて、これらは特にｉＴｕｎｅｓ（登録商標）およびＷＭＰを含み得る。さらに、ユーザが、ＰＣ上の１つ以上のライブラリを介してそれらの関連付けられたＰＣから、音楽を消去し、または、プレイリストを生成／編集する場合には、このデータは、有線および／またはワイヤレスで転送され得、これらの変更はモバイルワイヤレス通信デバイス上に反映される。例えば、ダウンロードのために要求された新しいメディアコンテンツは、ダウンロードマネージャ／キューに含まれ得、次のＵＳＢ、Ｗｉ−Ｆｉまたはワイヤレスネットワーク接続の際にユーザのモバイルワイヤレス通信デバイスに送信され得る。ユーザは、セルラネットワークを介して保留中のダウンロードキューにおいて任意の項目を転送／ダウンロードさせ得ることを選択するであろう。
【００５６】
様々な実施形態において、モバイルワイヤレス通信デバイスは、セルラデバイスにおいて使用され得るオペレーティングシステムによって動作するように構成され得る。モバイルワイヤレス通信デバイスは、ユーザのメディアに無制限のストレージを仮想的に提供するために外部制御を有するメディア機能へのアクセスによって構成され得、それらのポータブルワイヤレスデバイスから直接的に全てのユーザメディアの必要性を管理するためにＰＣのデスクトップからの独立性を有して構成され得、ポータブルワイヤレスデバイスから直接的に音楽を発見／獲得するようにオープンマーケットプレイスを有して構成され得、ポータブルワイヤレスデバイス上で行われるアクティビティの自動的なアップデート／同期を有して構成され得、ポータブルワイヤレスデバイス上の音楽をその他のデバイス（例えば、車、ホームステレオ、またはその他のそのようなデバイス）によって再生する能力を有して構成され得、音楽のＰＣライブラリおよびその他のメディアへアクセスするためにユーザのモバイルワイヤレス通信デバイスからのリモートアクセスを有して構成され得る。
【００５７】
様々な実施形態において、メディアワイヤレス同期機能は、図６に示されるようなワイヤレスサーバのインストールによってＰＣ上にインストールされ得る。このインストールは、ＵＳＢ接続を用いて実現され得る。このインストールは、ＵＳＢ接続を用いて開始され、インターネット接続を介して完了されるように実現され得る。このインストールは、Ｗｉ−Ｆｉ接続を用いて実現され得る。このインストールは、Ｗｉ−Ｆｉ接続を用いて開始され、インターネット接続を介して完了され得るように実現され得る。メディアワイヤレス同期機能のインストールの完了後、メディアワイヤレス機能／機能性がイネーブルされたことを示すメッセージがモバイルワイヤレス通信デバイス、ＰＣおよび／またはそれら両方を介してユーザに提供され得る。
【００５８】
モバイルワイヤレス通信デバイスのメディア同期アプリケーションは、登録に基づいて、例えば、個人識別（ＰＩＮ）に基づいて、自宅内で複数のモバイルワイヤレス通信デバイス／ユーザをサポートし得る。ライブラリおよびこれらのライブラリへの同期は、ＰＣの様々なユーザ間で分割され得る。例えば、１人の人物がｉＴｕｎｅｓ（登録商標）のような１つのライブラリと音楽を同期することを選択し得、別の人物がＷｉｎｄｏｗｓ（登録商標）  Ｍｅｄｉａ  Ｐｌａｙｅｒ（登録商標）のような別のライブラリと同期することを選択し得、第３の人物が両方のライブラリと同期することを選択し得る。ＰＣ上のワイヤレスサーバのユーザインターフェースは、サポートされたメディアマネージャの動的選択を可能にし得、同様に最新のメディアマネージャを記憶させる（最新の１つまたはいくつかのメディアマネージャの識別を格納する）ことを可能にし得、特定のモバイルワイヤレス通信デバイスとこのメディアマネージャとが同期され、この同期に関連するプリファランスを思い出させる。一実施形態において、ファイルがモバイルワイヤレス通信デバイスによってサポートされるまで、ファイルはモバイルワイヤレス通信デバイスに転送されないように指定され得る。ユーザは、特定のファイルまたはファイルタイプが同期に対して選択可能でないと識別される場合に、グラフィックユーザインターフェースを介してこのことに気付き得る。例えば、ユーザがモバイルワイヤレス通信デバイスから音楽ライブラリを閲覧するときに、同期されるべきでない音楽ファイルがアイコンまたはロック条件の他のインジケータを用いて示され得る。
【００５９】
ユーザのモバイルワイヤレス通信デバイスから、ユーザは、ホームＰＣ上のワイヤレスサーバを介してホームＰＣへの接続性のステータスを観察し得る。この閲覧は、ユーザが、Ｗｉ−Ｆｉ、ＷＡＮまたはその他の接続を介してコンテンツを同期および／またはダウンロードすることが可能であると決定することを可能にし得る。図７は、接続性を示すユーザインターフェースの非限定的な例を示す。メディア同期アプリケーションは、ユーザに、同期のために音楽を閲覧し、編集し、消去し、スケジュールすることを可能にする、モバイルワイヤレス通信デバイスから直接的にメディアライブラリを（オフラインで）閲覧する能力を提供する。全ての変更／要求／音楽転送は、それらのホームＰＣへのＵＳＢ、Ｗｉ−ＦｉまたはＷＡＮ接続の際に発生し得る。オフラインのホームＰＣ上のワイヤレスサーバによって、ネットワーク接続を介して転送またはダウンロードを開始させることを試みるときに、ワイヤレスサーバのステータスを示すエラーメッセージが生成され得る。
【００６０】
ユーザのＰＣのライブラリによって含まれるユーザの音楽ライブラリの最適化バージョンは、オフラインでの閲覧および管理が可能なユーザのデバイス上に含まれ得る。最適化されたメディアライブラリファイルは、ユーザのモバイルワイヤレス通信デバイス上のインデックスとして配置され得る。モバイルワイヤレス通信デバイス中のメディアファイルは、最適化されたメディアライブラリファイルとは別にモバイルワイヤレス通信デバイスに格納され得る。デスクトップメディア同期アプリケーションの設定の間（そして任意の時間において）、ユーザは、リモート管理およびワイヤレス同期に対して構成されることを望む１つ以上のメディアマネージャを選択し得る。
【００６１】
ユーザのモバイルワイヤレス通信デバイスから、全音楽ライブラリまたは個別のライブラリに入力することと、全ての歌（曲名）、アーティスト、アルバムおよび音楽ジャンルによってソートすることとが可能であり得る。ユーザはまた、全てのプレイリストに、規格およびスマート（自動）ならびにフォルダに含まれるそれらによって閲覧することが可能であり得る。モバイルワイヤレス通信デバイスからプレイリストを閲覧する場合、ユーザはまた、全ての歌（曲名）、アーティスト、アルバムおよび音楽ジャンルによって閲覧／ソートすることが可能であり得る。閲覧およびソートは、音楽に限定されないが、写真、ビデオおよび他のマルチメディアプレゼンテーションに適用され得る。ライブラリに含まれる実際の歌自体ではなく、ユーザのモバイルワイヤレス通信デバイス上に存在するインデックスとして最適化された音楽ライブラリファイルによって、最適化されたライブラリは、十分に小さくあり得、ライブラリがユーザのモバイルワイヤレス通信デバイスの内部メモリに格納されることを可能にする。様々な実施形態において、スワッピングメモリカードは、リモート管理を使用停止にしない。
【００６２】
様々な実施形態において、ユーザのモバイルワイヤレス通信デバイス上の最適化されたメディアライブラリファイルは、リフレッシュされ得、ユーザのＰＣ上のメディアライブラリとの同期において保持され得る。この同期は、自動アップデートを提供し得、その結果、ＰＣへアクセス可能なメディアライブラリのもっとも最新の閲覧がモバイルワイヤレス通信デバイスからユーザに対して利用可能である。アップデートされた／同期されたメディアライブラリのコピーは、デスクトップ音楽同期アプリケーションへの次のＵＳＢ／ＷＬＡＮ／ＷＡＮ接続の際に、ユーザのモバイルワイヤレス通信デバイスに転送され得る。
【００６３】
図８は、ホーム音楽ライブラリにアクセスする際のユーザインターフェースの例を示す。このユーザインターフェースは、ホーム音楽ライブラリに限定されないが、他のマルチメディアプレゼンテーションのライブラリであり得る。示されるように、ユーザインターフェースは、ユーザの音楽ライブラリ（例えば、ユーザのｉＴｕｎｅｓ（登録商標）またはＷＭＰ音楽ライブラリ）のアクセスおよび管理を提供し、これは使いやすく、直観的であり、ユーザがモバイルワイヤレス通信デバイス上の音楽アプリケーションから直接的に、それらの音楽ライブラリを容易に閲覧することを可能にする方法で構築され得る。
【００６４】
それらのホームメディアライブラリを、モバイルワイヤレス通信デバイスから閲覧する際、この閲覧は、メディアライブラリがローカルのＰＣ上に配置されるのと類似の方法で提供され得る。図９は、使いやすく、直観的であり、ユーザがモバイルワイヤレス通信デバイス上の音楽アプリケーションから直接的に、それらの音楽ライブラリを容易に閲覧することを可能にする方法で構築され得るメディアライブラリを閲覧する例を示す。この閲覧はまた、ホームライブラリにあるものに関して、モバイルワイヤレス通信デバイス上にあるメディアに対するモバイルワイヤレス通信デバイス上にないものの閲覧を提供し得る。この閲覧はまた、モバイルワイヤレス通信デバイスとの次のＵＳＢ同期、ＷＬＷＮ同期またはＷＬＡＮ同期の際に、それらのデバイスと転送／同期される保留中のダウンロードとしてメディアダウンロードマネージャに追加されているメディアの閲覧をも提供する。ユーザはまた、フリー／利用可能なメモリを含む、モバイルワイヤレス通信デバイス上のメディア、ホームＰＣのような関連するＰＣにおけるメディアおよび保留中のダウンロードのダウンロードマネージャ内のメディアに対応するメモリの総量の指示を提供され得る。メディアは、さらに様々なカテゴリ（例えば、音楽、ビデオ、および他のマルチメディアプレゼンテーション）において提示され得る。
【００６５】
様々な実施形態において、ユーザがそれらのホーム音楽ライブラリを閲覧する場合、それは、ホームメディアライブラリを編集するために、それらのモバイルワイヤレス通信デバイスにローカルなメディアを閲覧する方法に類似し得る。ユーザは、ワイヤレス同期機能によってリモート管理アプリケーションから、それらのホーム音楽ライブラリを編集することを可能にし得、それらがメディア（例えば、選択されたベースの音楽）を消去し、そして／またはプレイリストを編集することを可能にする。例えば、選択されたベースは、個別の歌、アルバム、アーティスト、ジャンルまたはプレイリストに基づいて音楽を編集することを可能にする。例えば、編集されたプレイリストをベースとして用いることは、１つ以上のプレイリストに含まれる歌を追加および／または除去することを可能にする。これらの編集は、ホームＰＣ上でのデスクトップメディア同期アプリケーションへの次のＵＳＢ／ＷＬＡＮ／ＷＡＮ接続の際に、ユーザのＰＣと１つ以上の対応するメディアマネージャライブラリとを同期し得る。消去動作は、ユーザがモバイルワイヤレス通信デバイスのみ（コンピュータ上で保持されるファイル）の特定のライブラリから、または同様に関連するコンピュータ上の特定のライブラリから、項目を消去することを望むか否かについて迅速に問い合わせることによって達成され得る。
【００６６】
図１０は、音楽をダウンロードマネージャに追加することに対するユーザインターフェースの例を示す。ユーザのホーム音楽ライブラリを閲覧している間に、ユーザは、保留中のダウンロードとして、以下のものをダウンロード音楽マネージャに追加し得る。それらは、個別の歌と、個別のアルバムと、個別のアーティスト（個別のアーティストによる全ての歌）と、個別のジャンル（単一のジャンルに含まれる全ての歌）と、全体のプレイリストと、音楽を編成するための他のカテゴリとを含む。この追加は、音楽に限定されないが、その他のマルチメディアプレゼンテーションに適用する。例として、この追加機能は、上記のカテゴリのうちの任意のものがハイライトされる場合に、「モバイルワイヤレス通信デバイスとの同期」または「ダウンロードへの追加」と呼ばれるメニュー項目として示され得る。これは、モバイルワイヤレス通信デバイスにローカルの項目を追加することがモバイルワイヤレス通信デバイスに対してローカルなプレイリストに対して取り扱われる方法に類似し得る。ユーザは、現在「保留中の同期／ダウンロード」である全ての項目を閲覧することが可能であり得る。リモートメディアアクセス実装は、ユーザに、全体がデバイスの利用可能／フリーなメモリ（外部メモリ＋内部メモリ）よりも大きいコンテンツをスケジュール／同期することを試みるかどうかを通知し得る。ユーザは、それらのデバイス上で、同期を試みているコンテンツ全て（すなわち、メディアダウンロードマネージャまたは「保留中のダウンロード」内にあるもの）、およびモバイルワイヤレス通信デバイス内で利用可能なコンテンツ全て、ならびに同期リストまたはデバイスからコンテンツを除去するように構築され得るコンテンツ全てを通知／応答待ちされ得る。
【００６７】
図１１は、ダウンロードマネージャを閲覧するためのユーザインターフェースの例を示す。この閲覧は、ユーザに、モバイルワイヤレス通信デバイスメディアプレーヤのメディアホームスクリーンから直接的に、保留中のダウンロードに対するメディアダウンロードマネージャを閲覧する能力を提供する。例えば、ダウンロードに対して要求される（保留中のダウンロード／キューに追加される）音楽は、次のＵＳＢ、Ｗｉ−ＦｉまたはＷＡＮ接続の際にモバイルワイヤレス通信デバイスに配信され得る。保留中のダウンロードリスト内の項目を閲覧することは、ユーザモバイルワイヤレス通信デバイス上の音楽を閲覧することに類似し得、全ての歌、アルバム、アーティスト、ジャンル、プレイリストおよびその他のカテゴリによってソート可能であり得る（括弧内で総数とそれぞれとを並べて表示）。
【００６８】
ユーザは、分かりやすい方法で、ダウンロードマネージャ内の個別の項目およびダウンロードマネージャ内の項目全体に対応するメモリの総量を示す閲覧を提供され得る。以下のオプションが、ダウンロードマネージャのコンテンツを閲覧する際に、ユーザに利用可能であり得る。上記オプションとは、（１）消去すること（すなわち、ダウンロードマネージャから項目を除去する）であって、これはデバイスとの転送／同期に要求されなくなった項目を含み得る、ことと、（２）今ダウンロードすることであって、これはＷＡＮを介してメディアの手動強制転送を可能にする、こととである。ユーザは、このことが既存のモバイルワイヤレス通信デバイスデータプランに関するセルラデータチャージをもたらし得ることを促進され得る。その他のオプションが提供され得る。
【００６９】
図１２は、コントローラ１２０５とメモリシステム１２２５とを有するシステム１２００の実施形態の図を描く。システム１２００はまた、電子装置１２３５とバス１２１５とを含み、ここでバス１２１５は、システム１２００のコンポーネント間に電気的接続性を提供する。実施形態において、バス１２１５は、アドレスバス、データバスおよび制御バスを含み、それぞれが独立して構成されている。代替の実施形態において、バス１２１５は、アドレス、データまたは制御のうちの１つ以上を提供するための共通の導電性ラインを用い、この使用は、コントローラ１２０５によって管理される。バス１２１５は複数のバスとして実現され得る。実施形態において、電子装置１２３５は、メモリシステム１２２５に類似の方法で構成された追加のメモリシステムである。実施形態において、１つ以上の追加の周辺デバイス１２４５がバス１２１５に連結される。実施形態において、周辺デバイス１２４５は、ディスプレイ、追加のストレージメモリシステムおよび／または他の制御デバイスを含み得、これらはコントローラ１２０５および／またはメモリシステム１２２５と関連させて動作し得る。実施形態においてコントローラ１２０５はプロセッサである。
【００７０】
コントローラ１２０５とメモリシステム１２２５とは、メディアコンテンツおよびシステム１２００上の関連する情報を管理するように配置され得る。実施形態において、システム１２００はＰＣとして配置される。このＰＣは、ＰＣ全体に分散された手段を含み得、これはワイヤレスサーバとして動作する。ＰＣとして配置されたシステム１２００は、本明細書に論じられた様々な実施形態の任意のものに従って動作し得、ＰＣ内のメディアコンテンツおよび関連する情報を管理するか、そして／またはモバイルワイヤレス通信デバイスのような１つ以上のモバイルデバイスと関連させる。
【００７１】
一実施形態において、システム１２００は、モバイルデバイスとして配置される。モバイルデバイスはモバイルワイヤレス通信デバイスであり得る。モバイルデバイスとして配置されたシステム１２００は、本明細書で論じられる様々な実施形態のうちの任意の実施形態に従って動作し得、モバイルデバイス内のメディアコンテンツおよび関連する情報を管理するか、そして／またはメディアコンテンツを管理するソフトウェアおよび／またはハードウェアを有するＰＣまたはその他の装置と関連させる。
【００７２】
本明細書で論じられるような、メディアコンテンツを管理する、ＰＣのようなシステムに対する装置および方法の様々な実施形態または実施形態の組み合わせは、ハードウェア実装、ソフトウェア実装ならびにハードウェアおよびソフトウェア実装において実現され得る。これらの実装は、１つ以上のモバイルデバイスにおいてシステムを動作させるための機械実行可能命令を有する機械読み取り可能媒体（コンピュータ実行可能命令を有するコンピュータ読み取り可能媒体）を含み得、その結果、メディアコンテンツおよび関連する情報がシステムとモバイルデバイスとの間で管理される。モバイルワイヤレス通信デバイスとのシステムの通信は、安全なベースで行われ得る。機械読み取り可能媒体は媒体の任意の１種類に限定されない。
【００７３】
本明細書で論じられるような、モバイルデバイス（例えば、モバイルワイヤレス通信デバイス）に対する装置および方法の様々な実施形態または実施形態の組み合わせは、ハードウェア実装、ソフトウェア実装ならびにハードウェアおよびソフトウェア実装において実現され得る。これらの実装は、１つ以上のモバイルデバイスにおいてシステムを動作させるための機械実行可能命令を有する機械読み取り可能媒体（コンピュータ実行可能命令を有するコンピュータ読み取り可能媒体）を含み得、その結果、メディアコンテンツおよび関連する情報がシステムとモバイルデバイスとの間で管理される。これらの実装は、モバイルデバイスのメディアコンテンツおよび該モバイルデバイス内の関連する情報を、ＰＣのようなシステムと関連させて、そして／または他のモバイルデバイスと関連させて管理するようにモバイルデバイスを動作させるための機械実行可能命令を有する機械読み取り可能媒体（例えば、コンピュータ実行可能命令を有するコンピュータ読み取り可能媒体）を含み得る。モバイルワイヤレス通信デバイスとシステムとの間の通信は、安全なベースで行われ得る。機械読み取り可能媒体は、任意の１種類の媒体に限定されない。
【００７４】
特定の実施形態が本明細書に示され、説明されてきたが、同一の目的を達成するために計算される任意の配置が、示される特定の実施形態と置き換えられ得ることが当業者によって認識される。上記の説明は例示であるように意図され、限定を意図されないことと、本明細書において用いられる表示法または専門用語は説明の目的のためである。上記の実施形態と他の実施形態との組み合わせが、上記の説明を研究する際に当業者には明らかとなる。
【００７５】
（要約）
メタデータ注入を用いたメディアファイルを管理する装置および方法は、マルチメディアデバイスとのユーザの相互作用を向上させる機構を提供する。追加の装置、システムおよび方法が開示される。
【符号の説明】
【００７６】
１００  システム
１１２  入力部
１１４  処理モジュール
１１６  出力部
１２０−１〜１２０−Ｎ  メディア供給源
【図１】
0004859943.tif 000002
【図２】
0004859943.tif 000003
【図３】
0004859943.tif 000004
【図４】
0004859943.tif 000005
【図５】
0004859943.tif 000006
【図６】
0004859943.tif 000007
【図７】
0004859943.tif 000008
【図８】
0004859943.tif 000009
【図９】
0004859943.tif 000010
【図１０】
0004859943.tif 000011
【図１１】
0004859943.tif 000012
【図１２】
0004859943.tif 000013